(57)【要約】【課題】あらゆる種類の木質系燃料を使用することができ、大きな収容空間を必要とせず、持ち運びの容易な火鉢を提供する。【解決手段】有底筒形をなし、底に通気孔を設けてあり、固形燃料を収容する収容筒１と、該収容筒１を囲繞しており、前記収容筒１の上端側にて五徳５を支持する支持筒２とを備え、前記収容筒１、五徳５及び支持筒２がねじの取付又は嵌合によって着脱可能に連結してある。収容筒１、五徳５、支持筒２がねじの取付又は嵌合によって連結してあるため、ねじを取り外すか又は嵌合を解除することで容易に分解することができる。【選択図】図１
0003182484.tif 000002
【実用新案登録請求の範囲】
【請求項１】
有底筒形をなし、底に通気孔を設けてあり、固形燃料を収容する収容筒と、
該収容筒を囲繞しており、前記収容筒の上端側にて五徳を支持する支持筒と
を備え、
前記収容筒、五徳及び支持筒がねじの取付又は嵌合によって着脱可能に連結してあること
を特徴とする火鉢。
【請求項２】
前記支持筒を隙間を隔てて囲繞するステンレス鋼製のカバー筒を備えること
を特徴とする請求項１に記載の火鉢。
【請求項３】
前記収容筒の前記底に対向し、吸気孔を有する吸気板が前記支持筒の下端部に設けてあり、
前記吸気孔の開度を調整する調整板が前記吸気板に枢着してあること
を特徴とする請求項１又は２に記載の火鉢。
【考案の詳細な説明】
【技術分野】
【０００１】
本発明は炭、薪、練炭等の固形燃料を燃焼させる火鉢に関する。
【背景技術】
【０００２】
災害時において電気・ガス等が停止した場合に、炭、廃材、練炭、炭団、豆炭、新聞紙等の固形燃料を火鉢にて燃焼させて、調理、暖房、加湿又は風呂用に熱を得る必要がある。特許文献１には、ドラム缶を上端部に載置し、ドラム缶に注水した後、可燃物を燃焼させる火鉢が開示してある。ドラム缶内の水は加熱され、ドラム缶を風呂として使用することができる。また鍋を載置すればコンロとしても使用することができる。
【先行技術文献】
【特許文献】
【０００３】
【特許文献１】特開２０１２−２３７５１４号公報
【考案の概要】
【考案が解決しようとする課題】
【０００４】
平常時において火鉢は倉庫に収容されることが多い。特許文献１に記載の火鉢はドラム缶を載置すべく大型に設定されており、火鉢を収容するために大きな空間を確保しなければならず、また災害時において所望の場所へ移動させるのも難しい。
【０００５】
本考案は斯かる事情に鑑みてなされたものであり、大きな収容空間を必要とせず、長寿命且つ壊れにくく、持ち運びの容易な火鉢を提供することを目的とする。
【課題を解決するための手段】
【０００６】
本考案に係る火鉢は、有底筒形をなし、底に通気孔を設けてあり、固形燃料を収容する収容筒と、該収容筒を囲繞しており、前記収容筒の上端側にて五徳を支持する支持筒とを備え、前記収容筒、五徳及び支持筒がねじの取付又は嵌合によって着脱可能に連結してあることを特徴とする。
【０００７】
本考案においては、収容筒、五徳及び支持筒がねじの取付又は嵌合によって連結してあるため、ねじを取り外すか又は嵌合を解除することで容易に分解される。
【０００８】
本考案に係る火鉢は、前記支持筒を隙間を隔てて囲繞するステンレス鋼製のカバー筒を備えることを特徴とする。
【０００９】
本考案においては、カバー筒と支持筒との間に隙間を設けてあるので、支持筒からカバー筒への熱伝導を抑制することができる。一方、カバー筒をステンレス鋼製とすることで、銅製とした場合に比べて熱伝導性が小さくなり、放熱性が低くなる。そのため放熱性が抑制され、気温が低い冬場に利用者がカバー筒を触った場合に暖を取ることができる。銅製とした場合、放熱性が高く、利用者がカバー筒を触っても冷たく感じ、暖を取ることができない。
【００１０】
本考案に係る火鉢は、前記収容筒の前記底に対向し、吸気孔を有する吸気板が前記支持筒の下端部に設けてあり、前記吸気孔の開度を調整する調整板が前記吸気板に枢着してあることを特徴とする。
【００１１】
本考案においては、吸気孔を有する吸気板を収容筒の底に対向させて支持筒に設け、調整板を枢動させて吸気孔の開度を調整し、可燃物の燃焼度合いを調整し、適切な火力を維持し、不完全燃焼を防止することができる。
【考案の効果】
【００１２】
本考案においては、収容筒、五徳及び支持筒がねじ止め又は嵌合によって連結してあるため、ねじを取り外すか又は嵌合を解除することで容易に分解することができる。そのため、平時においては分解して、小さな空間に収容することができ、災害時においては所望の場所まで運搬し、その場で組み立てて使用することができる。また部品が破損した場合でも、部品を交換し、容易に再生させることができる。
【図面の簡単な説明】
【００１３】
【図１】実施の形態に係る火鉢の略示斜視図である。
【図２】火鉢の略示平面図である。
【図３】火鉢の略示底面図である。
【図４】火鉢の略示縦断面図である。
【考案を実施するための形態】
【００１４】
以下本考案を実施の形態に係る火鉢を示す図面に基づいて詳述する。図１は火鉢の略示斜視図、図２は火鉢の略示平面図、図３は火鉢の略示底面図、図４は火鉢の略示縦断面図である。
【００１５】
図において１は炭、材木等の固形燃料を収容する収容筒である。収容筒１は、上下に延びた両端開口の円筒部１０と、該円筒部１０の下端開口を塞ぐ円形の通気板１１（底）とを備える。円筒部１０の上部には、ねじ６０，６０を挿通する二つの挿通孔１０ａ，１０ａが互いに対向する位置に設けてある。円筒部１０の外周面には、挿通孔１０ａに連通するナット１２が溶接にて固定してある。
底板部１１には空気が通流する多数の通気孔１１ａ、１１ａ，・・・、１１ａと、後述するボルト４４（ねじ）が挿入される三つの挿入孔１１ｂ、１１ｂ、１１ｂが設けてある。通気板１１の直径は円筒部１０よりも大きい。通気板１１及び円筒部１０の軸心が一致するように、通気板１１は円筒部１０の下端部に、後述する袋ナット７２及びボルト４４によって連結してある。
【００１６】
収容筒１の外側を、五徳５を支持し、上下に延びた円筒形の支持筒２が囲繞している。支持筒２の軸長方向寸法は収容筒１よりも長い。軸長方向において、支持筒２の上端部の位置は収容筒１の上端部と略同じであり、支持筒２の下端部は収容筒１の下端部よりも下方に突出している。支持筒２の上部には、前記挿通孔１０ａ，１０ａに対応する位置に二つの貫通孔２ａ、２ａが設けてある。支持筒２の内径は通気板１１の外径と略同じである。通気板１１の外周面は支持筒２の内周面に近接している。
【００１７】
支持筒２の下端部に、通気板１１に対向し、吸気孔２２を有する円形の吸気板２１が設けてある。吸気板２１には後述するボルト４４を挿入するための三つのボルト孔２４、２４、２４が周方向に沿って等設してある。ボルト孔２４は通気板１１の通気孔１１ａに対応した位置に配してある。吸気孔２２は二つのボルト孔２４、２４の間に配してある。吸気孔２２の開度を調整し、菱形状をなす調整板２３が、吸気板２１の下面に設けてある。調整板２３の一の頂点部分が、吸気板２１の中央部において蝶ナット８０及びボルト８１によって枢動可能に連結してある。調整板２３における枢着部分の反対側は、下方に屈曲している。利用者は屈曲した部分を把持し、前記頂点部分を支点にして調整板２３を枢動させることで、吸気孔２２の開度を調整することができる。
【００１８】
支持筒２の外側を、上下に延びた円筒形のカバー筒３が収容筒１及び支持筒２の間の隙間よりも大きな隙間を空けて囲繞している。カバー筒３はステンレス鋼製である。カバー筒３の軸長方向寸法は支持筒２よりも長い。軸長方向において、カバー筒３の上端部は収容筒１の上端部よりも上方に突出し、カバー筒３の下端部は支持筒２の下端部と略同じ位置にある。
【００１９】
支持筒２及びカバー筒３の下側に、径方向に平行な板状をなす三つの足片４が周方向に等設してある。足片４の上縁部に二つの凹部４２，４３が設けてある。足片４の二つの凹部４２，４３の間にナット４１が設けてある。ナット４１は前記径方向に平行な方向を軸方向として、その側面を足片４の上縁部に溶接してある。足片４の側縁部にボルト４４が固定してある。ボルト４４の頭部が足片４の側縁部に溶接してあり、ボルト４４の軸部は上方に突出している。
【００２０】
支持筒２及びカバー筒３の下端部が二つの凹部４２，４３にそれぞれ嵌入している。ナット４１は支持筒２及びカバー筒３の間に位置する。支持筒２における前記ナット４１との対向部分に挿通孔２ｂが設けてある。支持筒２の外側からナット４１にねじ７０が螺入し、挿通孔２ｂに挿通し、支持筒２を係止している。ボルト４４は前記ボルト孔２４及び挿入孔１１ｂに挿入してある。挿入孔１１ｂを貫通したボルト４４の先端部には袋ナット７２が取り付けてある。袋ナット７２はフランジ部７２ａを有し、フランジ部７２ａを下側にしてボルト４４に螺合している。通気板１１及び吸気板２１の間において、上下を軸方向とした筒体７１にボルト４４が挿入されている。該筒体７１及びフランジ部７２ａの外径は挿入孔１１ｂ及びボルト孔２４の直径よりも大きい。そのため袋ナット７２をボルト４４に締め付けることによって、通気板１１、吸気板２１及び足片４を連結してある。
【００２１】
支持筒２の上端部に五徳５が設けてある。五徳５は円環５５と、該円環５５に周方向に沿って等設してあり、物体（例えば鍋、やかん）を支持し、円環５５の径方向に平行な三つの支持板５０とを備える。円環５５には、ねじ６０、６０を挿入する二つの挿入孔５６、５６が互いに対向する位置に設けてある。支持板５０は円環５５に一体成形してある。支持板５０は、円環５５の軸長方向に突出し、径方向に平行な第１突出部分５１と、径方向内向きに円環５５の内側面から突出した第２突出部分５２と、径方向外向きに円環５５の外側面から突出した第３突出部分５３とを有する。
【００２２】
第１突出部分５１は円環５５の内側に向けて下降傾斜している。第２突出部分５２は第１突出部分５１に連なり、この連なっている部分の突出幅は、軸長方向において第１突出部分５１から離隔した部分よりも大きい。第２突出部分５２における第１突出部分５１から離隔した前記部分に、前記支持筒２の上端部に嵌合する嵌合凹部５２ａが形成してある。なお離隔した前記部分の径方向の突出幅は、収容筒１及び支持筒２の隙間の幅よりも小さい。
【００２３】
嵌合凹部５２ａは、軸長方向における前記第１突出部分５１の反対側にて、円環５５の内周面に沿って形成してある。第３突出部分５３は、その突出幅が第１突出部分５１に向かうに従って大きくなるように傾斜し、第１突出部分５１に連なる。嵌合凹部５２ａに支持筒２の上端部が嵌合し、円環５５の挿入孔５６が前記支持筒２の前記貫通孔２ａに対向し、また第１突出部分５１及び第３突出部分５３の連結箇所にカバー筒３の上端が当接するように、五徳５は支持筒２上に配置してある。二つのねじ６０が収容筒１の内側から挿通孔１０ａにそれぞれ挿入され、ナット１２に螺合し、貫通孔２ａ及び挿入孔５６を貫通しており、ねじ６０の先端部は挿入孔５６から外向きに突出している。火鉢は両端をフック状に形成した円弧状の取手９０を備え、該取手９０の両端部を各ねじ６０の先端部に引掛けてある。
【００２４】
本考案においては、収容筒１、五徳５、支持筒２、吸気板２１、足片４がねじの取付又は嵌合によって連結してあるため、ねじを取り外すか又は嵌合を解除することで容易に分解することができる。そのため、平時においては分解し、小さな空間に収容することができ、災害時においては所望の場所まで運搬し、その場で組み立てて使用することができる。
【００２５】
またカバー筒３と支持筒２との間に隙間を設けてあるので、支持筒２からカバー筒３への熱伝導を抑制することができる。一方、カバー筒３をステンレス鋼製とすることで、銅製とした場合に比べて熱伝導性が小さくなり、放熱性が低くなる。そのため放熱が抑制され、気温が低い冬場に利用者がカバー筒３を触った場合に火力が小さくても暖を取ることができる。一方カバー筒３を銅製とした場合、放熱性が高過ぎて、火力が小さい場合には利用者がカバー筒３を触っても冷たく感じ、暖を取るには不十分である。またステンレス鋼製とした場合、銅製に比べて耐久性が高く、例えば５０年以上使用することができる。
【００２６】
また吸気孔２２を有する吸気板２１を収容筒１の底に対向させて支持筒２に設け、調整板２３を枢動させて吸気孔２２の開度を調整し、通気板１１の通気孔１１ａを通流する空気量を調整し、可燃物の燃焼度合いを調整して、適切な火力を維持し、不完全燃焼を防止することができる。なお上記火鉢はコンロとしても使用することができる。
【００２７】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００２８】
１  収容筒
２  支持筒
３  カバー筒
５  五徳
１１  通気板（底）
１１ａ  通気孔
２１  吸気板
２２  吸気孔
２３  調整板
【図１】
0003182484.tif 000003
【図２】
0003182484.tif 000004
【図３】
0003182484.tif 000005
【図４】
0003182484.tif 000006